(57)【要約】【課題】ユーザーの意図に沿った画像表示を行いつつ、画像表示に起因する消費電力を低減することができる撮像装置を提供する。【解決手段】グリップセンサ１２によるグリップ部の保持状態の検知、装着検知センサ２２２ｄによるリモートレリーズ装置２２３の端子の装着状態の検知、および、全体制御部２１１による遠隔操作可能状態の検知に基づき、全体制御部２１１が被写体の撮影や記憶画像の再生の準備がなされている操作準備状態を検出する。そして、全体制御部２１１は、接眼検知センサ２２によりＥＶＦ２０へのユーザーの瞳の近接が検知されるとＥＶＦ２０に画像表示を行い、ＥＶＦ２０へのユーザーの瞳の近接が検知されないと背面ＬＣＤ１０に画像表示を行うように制御する。また、全体制御部２１１は、操作準備状態が検出されない際には、背面ＬＣＤ１０およびＥＶＦ２０のいずれにも画像表示しないように制御する。【選択図】        図５
2004201104.tif 000002
【特許請求の範囲】
【請求項１】
ユーザーが接眼して表示画像の観察を行う第１の表示手段と、前記第１の表示手段とは別に設けられた第２の表示手段と、を含む表示手段を有する撮像装置であって、
前記撮像装置について、被写体の撮影および記憶画像の再生のうち少なくとも一方の操作準備がなされている操作準備状態と、被写体の撮影および記憶画像の再生のいずれの操作準備もなされていない非操作準備状態とのいずれの状態にあるかを検出する検出手段と、
前記第１の表示手段にユーザーの瞳が近接されている接眼状態と前記第１の表示手段にユーザーの瞳が近接されていない非接眼状態とのいずれの状態にあるかを検知する接眼検知手段と、
前記検出手段によって前記操作準備状態を検出した場合に、前記接眼検知手段による前記接眼状態の検知に応じて前記第１の表示手段に前記被写体に係る画像および前記記憶画像のうち少なくとも一方を表示させ、前記接眼検知手段による前記非接眼状態の検知に応じて前記第２の表示手段に前記被写体に係る画像および前記記憶画像のうち少なくとも一方を表示させるように制御する表示制御手段と、
を備える撮像装置。
【請求項２】
請求項１に記載の撮像装置であって、
前記表示制御手段が、
前記検出手段による前記操作準備状態の検出から所定時間の経過前までは前記表示手段に前記被写体に係る画像および前記記憶画像を表示させず、前記検出手段による前記操作準備状態の検出から前記所定時間の経過後において、前記接眼検知手段による前記接眼状態の検知に応じて前記第１の表示手段に前記被写体に係る画像および前記記憶画像のうち少なくとも一方を表示させ、前記接眼検知手段による前記非接眼状態の検知に応じて前記第２の表示手段に前記被写体に係る画像および前記記憶画像のうち少なくとも一方を表示させるように制御する撮像装置。
【請求項３】
請求項１または請求項２に記載の撮像装置であって、
前記表示制御手段が、
前記検出手段による前記非操作準備状態の検出に応じて、前記表示手段における前記被写体に係る画像および前記記憶画像のいずれの表示をも禁止するように制御する撮像装置。
【請求項４】
請求項１から請求項３のいずれかに記載の撮像装置であって、
前記検出手段が、
ユーザーおよび所定の付属部品のうち少なくとも一方が前記撮像装置と協働可能に存在している存在状態および不存在状態のいずれの状態にあるかを検知する存在検知手段を備え、
前記存在検知手段による存在状態および不存在状態の検知に基づいて、それぞれ前記操作準備状態および前記非操作準備状態が検出される撮像装置。
【発明の詳細な説明】
【０００１】
【発明の属する技術分野】
本発明は、撮像装置において画像を表示する技術に関する。
【０００２】
【従来の技術】
液晶表示器等の表示装置を備えたデジタルカメラでは、写す範囲と構図とを決定するフレーミングをユーザーが行う際に、被写体に係るリアルタイムの画像（以下、「ライブビュー画像」と称する）を表示装置に表示させる。
【０００３】
そして、一般的には、ユーザーによるスイッチ操作により表示装置の表示をＯＮ／ＯＦＦするため、不必要な時にスイッチがＯＮのままにされる場合があり、この場合には余分な電力を消費することになる。
【０００４】
このような問題に対して、特許文献１では、瞳を近接させてライブビュー画像の表示を見ることができる表示装置（ビューファインダー）が設けられ、接眼センサによる表示装置近傍への接眼が検出され、かつ、グリップを握る等の撮影準備動作が検出された場合にのみ、ビューファインダーへの画像表示を行うことによって、省電力化と操作性の向上とを図った電子カメラが提案されている。
【０００５】
このような技術に関する先行技術文献としては、以下のようなものがある。
【０００６】
【特許文献１】
特開平２−１７９０７６号公報
【０００７】
【発明が解決しようとする課題】
しかしながら、近年のデジタルカメラにおいては、表示装置として、ビューファインダーが設けられるとともに、筐体の背面側に瞳を近接させずともライブビュー画像の表示を見ることができる表示装置が設けられている場合が多く、ユーザーは、フレーミング等を行う際に、複数個の表示装置を適宜使い分けることになる。
【０００８】
このように、フレーミング等を行う際に複数個の表示装置を適宜使い分けることができるデジタルカメラに対しては、特許文献１において提案されている電子カメラのように、単に表示装置への接眼が検出され、かつ、グリップを握る等の操作準備動作が検出された場合にのみ、表示装置への画像の表示を行う技術を適用したのでは、操作上不都合を生じることが想定され、非常に使い勝手が悪い。例えば、ユーザーがビューファインダーによってではなく、筐体背面側の表示装置によって被写体に係る画像を視認したい場合等にも、接眼時のみ画像が表示されるのでは、ユーザーの意図に反し、非常に使い勝手が悪い。
【０００９】
このような問題は、フレーミングを行う場合のみに限られず、記憶画像を表示させる場合等、撮像装置の表示装置に画像を表示させる場合一般に共通する問題である。
【００１０】
本発明は上記課題に鑑みてなされたものであり、ユーザーの意図に沿った画像表示を行いつつ、画像表示に起因する消費電力を低減することができる撮像装置を提供することを目的とする。
【００１１】
【課題を解決するための手段】
上記の課題を解決するために、請求項１の発明は、ユーザーが接眼して表示画像の観察を行う第１の表示手段と、前記第１の表示手段とは別に設けられた第２の表示手段と、を含む表示手段を有する撮像装置であって、前記撮像装置について、被写体の撮影および記憶画像の再生のうち少なくとも一方の操作準備がなされている操作準備状態と、被写体の撮影および記憶画像の再生のいずれの操作準備もなされていない非操作準備状態とのいずれの状態にあるかを検出する検出手段と、前記第１の表示手段にユーザーの瞳が近接されている接眼状態と前記第１の表示手段にユーザーの瞳が近接されていない非接眼状態とのいずれの状態にあるかを検知する接眼検知手段と、前記検出手段によって前記操作準備状態を検出した場合に、前記接眼検知手段による前記接眼状態の検知に応じて前記第１の表示手段に前記被写体に係る画像および前記記憶画像のうち少なくとも一方を表示させ、前記接眼検知手段による前記非接眼状態の検知に応じて前記第２の表示手段に前記被写体に係る画像および前記記憶画像のうち少なくとも一方を表示させるように制御する表示制御手段とを備える。
【００１２】
また、請求項２の発明は、請求項１に記載の撮像装置であって、前記表示制御手段が、前記検出手段による前記操作準備状態の検出から所定時間の経過前までは前記表示手段に前記被写体に係る画像および前記記憶画像を表示させず、前記検出手段による前記操作準備状態の検出から前記所定時間の経過後において、前記接眼検知手段による前記接眼状態の検知に応じて前記第１の表示手段に前記被写体に係る画像および前記記憶画像のうち少なくとも一方を表示させ、前記接眼検知手段による前記非接眼状態の検知に応じて前記第２の表示手段に前記被写体に係る画像および前記記憶画像のうち少なくとも一方を表示させるように制御する。
【００１３】
また、請求項３の発明は、請求項１または請求項２に記載の撮像装置であって、前記表示制御手段が、前記検出手段による前記非操作準備状態の検出に応じて、前記表示手段における前記被写体に係る画像および前記記憶画像のいずれの表示をも禁止するように制御する。
【００１４】
また、請求項４の発明は、請求項１から請求項３のいずれかに記載の撮像装置であって、前記検出手段が、ユーザーおよび所定の付属部品のうち少なくとも一方が前記撮像装置と協働可能に存在している存在状態および不存在状態のいずれの状態にあるかを検知する存在検知手段を備え、前記存在検知手段による存在状態および不存在状態の検知に基づいて、それぞれ前記操作準備状態および前記非操作準備状態が検出される。
【００１５】
【発明の実施の形態】
以下、本発明の実施形態を図面に基づいて説明する。
【００１６】
＜(1)撮像装置の概要＞
図１、図２、図３および図４は、本発明の実施形態に係る撮像装置１の要部構成を示す図であり、図１は正面図、図２は上面図、図３は背面図、図４は側面図に相当する。これらの図は必ずしも三角図法に則っているものではなく、撮像装置１の要部構成を概念的に例示することを主眼としている。なお、本実施形態に係る撮像装置１は、例えば、デジタルカメラの一種であるデジタルスチルカメラ等に相当する。
【００１７】
図１および図２に示すように、撮像装置１は、複数のレンズ群を含む撮影レンズ（以下、単に「レンズ」とも称する）３０を含む撮像部３を備えている。また、撮像装置１の正面上部には、撮像装置１とは別個の付属部品の一つである携帯リモコン装置５０から発せられる信号を受信する信号受信部１１が設けられている。
【００１８】
携帯リモコン装置５０にはシャッタースタートボタン５１（以下、単に「シャッターボタン」と称する）が備えられている。撮像装置１は携帯リモコン装置５０から発せられる信号に応じた撮影動作を実施する状態（以下、「遠隔操作可能状態」と称する）と実施しない状態（以下、「遠隔操作不能状態」と称する）に設定されることが可能である。撮像装置１から離隔した場所において、ユーザーがシャッターボタン５１を押下すると、携帯リモコン装置５０から撮影指示を示す信号が撮像装置１に向けて発せられる。このとき撮像装置１が遠隔操作可能状態にあれば、信号受信部１１がこの信号を受信することによって、撮像装置１が撮影動作を行う。つまり、ここでは、携帯リモコン装置５０が、撮像装置１から離隔した場所より撮像装置１を操作可能な手段（第１の遠隔操作手段）として機能する。
【００１９】
さらに、撮像装置１の正面左部には、ユーザーが撮像装置１を保持するためのグリップ部５が設けられている。そして、グリップ部５には、ユーザーがグリップ部５を保持（把持）している状態（以下、「保持状態」と称する）と保持（把持）していない状態（以下、「非保持状態」と称する）とのいずれの状態にあるかを検知するグリップセンサ１２が設けられている。グリップセンサ１２は、ユーザーによるグリップ部５の保持状態および非保持状態のいずれの状態にあるかを検知することによって、それぞれユーザーが撮像装置１と協働可能に存在している状態（以下、「存在状態」と称する）、およびユーザーが撮像装置１と協働可能には存在していない状態（以下、「不存在状態」と称する）を検知する。
【００２０】
なお、グリップセンサ１２は、例えば、グリップ部５上に離隔して配置される二本の導電性を有する金属板１２ａ，１２ｂを備えて構成される。グリップセンサ１２は、ユーザーの指が二本の金属板１２ａ，１２ｂの双方に接触した場合に生じる指内の導通を利用して電圧等の変化を検知する。そして、グリップセンサ１２は、ユーザーの指と金属板１２ａ，１２ｂとが接触した状態（接触状態）と、接触していない状態（非接触状態）とのいずれの状態にあるかを検知し、ユーザーの存在状態／不存在状態を検知する。言い換えれば、グリップセンサ１２は、外部からのユーザーの指と撮像装置１の特定部分である金属板１２ａ，１２ｂとの接触状態および非接触状態のいずれの状態にあるかを検知することによって、ユーザーの存在状態／不存在状態を検知する。
【００２１】
また、図２に示すように、撮影レンズ３０は、ズーム機能を有しており、ズームリング３３を回転させること等により、撮影倍率の変更を行うことができる。さらに、撮像装置１の上面にはシャッタースタートボタン９（以下、単に「シャッターボタン」と称する）が設けられている。
【００２２】
また、撮像装置１の上面には、「電源ＯＦＦ」と「撮影モード」と「再生モード」と「通信モード」とを切替設定するモード切替ダイヤル１４が設けられている。撮影モードは、撮影により被写体の画像データを得るモードであり、再生モードは、メモリカード８等に記憶された記憶画像を再生表示するモードである。また、通信モードは、撮像装置１の側面に設けられるＵＳＢ端子２２６を介して、外部のパーソナルコンピュータ等にデータ転送するモードである。ところで、モード切替ダイヤル１４は、上記各種モードの設定ポジションに加えて「電源ＯＦＦ」のポジションを備えており、電源のＯＮ／ＯＦＦを切り替える電源スイッチの機能をも果たしている。
【００２３】
さらに、撮像装置１の上面には、液晶のデータパネル３６がさらに設けられており、このデータパネル３６において各種モードの設定状態等が表示される。
【００２４】
また、図３に示すように、撮像装置１の背面左方には、被写体に係るリアルタイムの画像（以下、「ライブビュー画像」と称する）の表示及びメモリカード８等に記憶される記憶画像の再生表示等を行なうための液晶ディスプレイ（以下、「背面ＬＣＤ」と称する）１０と電子ビューファインダ（以下、「ＥＶＦ」と略す）２０とが画像を表示する手段として別個に設けられている。なお、ＥＶＦ２０の画面サイズは背面ＬＣＤ１０の画面サイズよりも小さい。
【００２５】
この背面ＬＣＤ１０およびＥＶＦ２０では、カラーで画像表示が行われる。そして、背面ＬＣＤ１０は、ユーザーが瞳を近接させることなく被写体に係る画像やメモリカード８等に記憶される記憶画像を視認・観察するためにこれらの画像を表示する手段として機能する。また、ＥＶＦ２０は、ユーザーが瞳を近接させることによって被写体に係る画像やメモリカード８等に記憶される記憶画像等の表示画像を視認・観察するためにこれらの画像を表示する手段として機能する。なお、本明細書では、ＥＶＦ２０を第１の表示手段とも称し、背面ＬＣＤ１０を第２の表示手段とも称する。
【００２６】
また、ＥＶＦ２０は、接眼検知センサ２２、およびアイピースフード２３とともにファインダユニット４を構成する。そして、接眼検知センサ２２は、ＥＶＦ２０に対してユーザーの瞳が近接されている状態（以下、「接眼状態」と称する）とユーザーの瞳が近接されていない状態（以下、「非接眼状態」と称する）とのいずれの状態にあるかを検知する。
【００２７】
図４では、ファインダユニット４の概略構成を示している。図４に示すように、接眼検知センサ２２は、投光部２２ａと受光部２２ｂとを備え、ＥＶＦ２０に対して接眼状態にあるときには、投光部２２ａからの光がユーザの顔等に反射して受光部２２ｂに入射し、それによって接眼状態であることが検知される。また、ＥＶＦ２０に対して非接眼状態にあるときには、投光部２２ａからの光が受光部２２ｂに入射しないため、それによって非接眼状態であることが検出される。
【００２８】
図３に戻って説明を続ける。
【００２９】
撮像装置１の背面右方には、カーソルボタン(十字キー)Ｕ、Ｄ、Ｌ、Ｒ、および実行ボタン３２を含むコントロールボタン３５が設けられており、このコントロールボタン３５を用いて各種操作が行われる。また、撮像装置１の背面には、メニューボタン３７が設けられている。このメニューボタン３７が押下されることにより、各種のメニューが背面ＬＣＤ１０等に表示される。
【００３０】
また、撮像装置１の背面下方には、リモートレリーズ装置２２３の接続ケーブル２２５の端部に設けられた端子２２５ａを装着するための端子装着部２２０が設けられる。端子装着部２２０は接続Ｉ／Ｆ２２２を備えており、端子２２５ａが端子装着部２２０に装着されると、端子２２５ａと接続Ｉ／Ｆ２２２を介して撮像装置１とリモートレリーズ装置２２３とが電気的に接続した状態となる。
【００３１】
リモートレリーズ装置２２３は、撮像装置１の付属部品の一つであり、撮像装置１から離隔した場所より撮像装置１を操作可能な手段（第２の遠隔操作手段）として機能し、シャッタースタートボタン２２４（以下、単に「シャッターボタン」と称する）を備えている。そして、端子装着部２２０に端子２２５ａが装着された状態において、ユーザーによりシャッターボタン２２４が押下されると、接続ケーブル２２５、端子２２５ａ、および接続Ｉ／Ｆ２２２を介して、リモートレリーズ装置２２３から撮像装置１に対して撮影指示を示す信号が入力される。
【００３２】
また、図３では図示を省略しているが、端子装着部２２０には、端子２２５ａが装着された状態（以下、「装着状態」と称する）にあるか、または、装着されていない状態（以下、「非装着状態」と称する）にあるのかを検知するための装着検知センサ２２２ｄが設けられている。なお、端子装着部２２０への端子２２５ａの装着状態および非装着状態の検知については、機械的または電気的に検知すること等によって容易に行うことができる。
【００３３】
したがって、ここでは、端子装着部２２０が、リモートレリーズ装置２２３からの信号を入力する端子２２５ａを装着する部位として機能する。また、装着検知センサ２２２ｄが、端子装着部２２０への端子２２５ａの装着状態および非装着状態のいずれの状態にあるかを検知することによって、それぞれ、リモートレリーズ装置２２３が撮像装置１と協働可能に存在している状態（存在状態）、およびリモートレリーズ装置２２３が撮像装置１と協働可能には存在していない状態（不存在状態）を検知する。
【００３４】
また、撮像装置１の側面には、メモリカード８を挿入して装着できるメモリスロット８１が設けられている。
【００３５】
＜(2)撮像装置の機能ブロック＞
図５は、撮像装置１の機能ブロック図である。同図において、ＣＣＤ３０３は、２５６０×１９２０画素を有し、撮影レンズ３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成する。
【００３６】
撮像部３における露出制御は、レンズ駆動部３０６による撮影レンズ３０の絞りと、ＣＣＤ３０３の露光量、すなわち、シャッタスピードに相当するＣＣＤ３０３の電荷蓄積時間を調節して行なわれる。ここで、被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードと信号処理回路３１３のゲイン調整とを組み合わせて露出制御が行なわれる。
【００３７】
タイミングジェネレータ３１４は、全体制御部２１１から送信される基準クロック基づきＣＣＤ３０３の駆動制御信号を生成する。このタイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００３８】
信号処理回路３１３は、ＣＣＤ３０３から出力される画像信号（アナログ信号）に所定のアナログ信号処理を施すものである。この信号処理回路３１３は、ＣＤＳ（相関二重サンプリング）回路とＡＧＣ（オートゲインコントロール）回路とを有し、ＣＤＳ回路により画像信号のノイズ低減処理を行ない、ＡＧＣ回路でゲインを調整することにより画像信号のレベル調整を行なう。
【００３９】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００４０】
ＷＢ（ホワイトバランス）回路２０７は、Ｒ，Ｇ，Ｂの各色成分の画素データのレベル変換を行なうものである。このＷＢ回路２０７は、全体制御部２１１で記憶されるレベル変換テーブルを用いてＲ，Ｇ，Ｂの各色成分の画素データのレベルを変換する。なお、レベル変換テーブルの各色成分のパラメータ（特性の傾き）は全体制御部２１１により、オートまたはマニュアルで、記憶画像毎に設定される。γ補正回路２０８は、画素データの階調を補正するものである。
【００４１】
色変換・色補正回路２３１は、γ補正回路２０８から入力される画像データに対して、例えばＹＣｒＣｂ系に色空間を変換し、色再現性を向上させる色補正を行うものである。
【００４２】
解像度変換回路２３２は、ライブビュー画像を表示するための撮影（以下、「ライブビュー撮影」と称する）を行う際に、ＣＣＤ３０３で取得される画像データを１／８に間引いた画像データ(３２０×２４０画素)を生成する。
【００４３】
画像メモリ２０９は、ＣＣＤ３０３で取得され、上記の画像処理が施された画像データを記憶するメモリである。画像メモリ２０９は、少なくとも１フレーム分の記憶容量を有している。すなわち、画像メモリ２０９は、ＣＣＤ３０３の画素数に対応する２５６０×１９２０画素分の画素データの記憶容量を少なくとも有し、各画素データが対応する画素位置に記憶されるようになっている。
【００４４】
ＥＶＦ／背面ＬＣＤ切替部２３５は、背面ＬＣＤ１０とＥＶＦ２０との表示切替えを行うものであり、全体制御部２１１の制御に基づいて、背面ＬＣＤ１０およびＥＶＦ２０の表示のＯＮ／ＯＦＦおよび切替えを行う。
【００４５】
撮像装置１では、電源の投入後、撮影モードに設定されて撮影待機状態となると、ＣＣＤ３０３により１／３０（秒）毎に撮像された画像の各画素信号がＡ／Ｄ変換器２０５〜解像度変換回路２３２により所定の信号処理を施された後、全体制御部２１１を介してＥＶＦ／ＬＣＤ切替部２３５に転送され、背面ＬＣＤ１０やＥＶＦ２０に表示される（ライブビュー画像の表示）。これにより、ユーザはＣＣＤ３０３で撮像される被写体像を視認・観察することができる。なお、撮影モードにおいては、撮影した画像を撮影直後において確認的に表示する画像（以下、「アフタービュー画像」と称する）として背面ＬＣＤ１０やＥＶＦ２０に表示することもできる。
【００４６】
また、再生モードにおいては、メモリカード８から読み出された画像が全体制御部２１１で所定の信号処理が施された後、ＥＶＦ／ＬＣＤ切替部２３５に転送され、背面ＬＣＤ１０やＥＶＦ２０に再生表示される。
【００４７】
カードＩ／Ｆ２１２は、メモリスロット８１に装着されるメモリカード８への画像データの書込み及び読出しを行なうためのインターフェースである。このメモリカード８への画像データの読み書きでは、圧縮・伸張部２３６において例えばＪＰＥＧ方式で画像の圧縮・伸張が行われる。
【００４８】
操作部２５０は、上述したシャッターボタン９、およびコントロールボタン３５等の各種ボタン、レバー等で構成されている。
【００４９】
シャッターボタン９は、半押し状態（以下、これを「Ｓ１状態」と称する）と押し込んだ状態（以下、これを「Ｓ２状態」と称する）とが検出可能な２段階スイッチになっている。撮影待機状態でシャッターボタン９をＳ１状態にすると、オートフォーカスのためのレンズ駆動を開始し、一般的なオートフォーカス動作が行われる。一方、シャッターボタン９をＳ２状態にすると、ＣＣＤ３０３で取得され画像処理が施された画像データが圧縮・伸張部２３６でデータ圧縮されるとともに、そのサムネイル画像が全体制御部２１１で生成される。そして、生成された画像データとサムネイル画像データとが、カードＩ／Ｆ２１２を介してメモリカード８に記憶される。
【００５０】
電源２８０は、撮像装置１全体に電力を供給するためのものであり、例えば、ニッケル水素電池等が使用される。そして、電源２８０は、操作部２５０に含まれるモード切替ダイヤル１４によって電源ＯＦＦの状態から「撮影モード」等の各種モードに設定されると、撮像装置１全体に電力を供給する。
【００５１】
データパネル３６は、上述したように、各種モードの設定状態等が表示されるものであり、この表示が全体制御部２１１の制御の下で行われる。
【００５２】
接眼検知センサ２２は、上述したように、ＥＶＦ２０に対して接眼状態にあるのか、または、非接眼状態にあるのかを検知するセンサであり、検知した結果を全体制御部２１１に出力する。
【００５３】
グリップセンサ１２は、上述したように、ユーザーによるグリップ部５の保持状態と非保持状態とのいずれの状態にあるかを検出するセンサであり、検出した結果を全体制御部２１１に出力する。
【００５４】
接続Ｉ／Ｆ２２２は、上述したように、リモートレリーズ装置２２３と撮像装置１とを電気的に接続する部位である。そして、接続Ｉ／Ｆ２２２は、リモートレリーズ装置２２３のシャッターボタン２２４の押下に応じてリモートレリーズ装置２２３から出力される撮影指示を示す信号を受信し、さらに、その信号を全体制御部２１１に送信する。
【００５５】
装着検知センサ２２２ｄは、上述したように、端子装着部２２０に端子２２５ａが装着された装着状態にあるのか、または、装着されていない非装着状態にあるのかを検知するためのセンサであり、検知した結果を全体制御部２１１に出力する。なお、装着検知センサ２２２ｄによって装着状態であることが検知されると、リモートレリーズ装置２２３のシャッターボタン２２４の押下に応じて撮像動作を行うことのできる状態に設定することができる。
【００５６】
信号受信部１１は、上述したように、携帯リモコン装置５０からの信号を受信する部位であり、例えば、撮像装置１が遠隔操作可能状態に設定されている場合は、携帯リモコン装置５０のシャッターボタン５１の押下に応じて、携帯リモコン装置５０から送信される撮影指示を示す信号を受信する。そして、信号受信部１１は、撮影指示を示す信号の受信に応じて、全体制御部２１１に撮影指示を示す所定の信号を出力する。なお、ユーザーは、メニューボタン３７を押下してメニューを背面ＬＣＤ１０に表示させて、操作部２５０を種々操作することによって、上述した遠隔操作可能状態に設定することができる。そして、全体制御部２１１が、撮像装置１が遠隔操作可能／不能状態のいずれの状態にあるかを検知する。
【００５７】
全体制御部２１１は、マイクロコンピュータ(ＣＰＵ)、ＲＡＭ２１１ａおよびＲＯＭ２１１ｂを有しており、上述したカメラの各部材の駆動を有機的に制御して撮像装置１の動作を統括制御する。全体制御部２１１は、ＲＯＭ２１１ｂ等に格納されるプログラムがＣＰＵに読み込まれることによって、各種機能を実現することができる。
【００５８】
全体制御部２１１は、グリップセンサ１２による保持／非保持状態の検知結果、装着検知センサ２２２ｄによる装着／非装着状態の検知結果、および全体制御部２１１における遠隔操作可能／不能状態の検知に基づいて、被写体の撮影または記憶画像の再生の操作準備がなされている状態（以下、「操作準備状態」と称する）と、被写体の撮影および記憶画像の再生のいずれの操作準備もなされていない状態（以下、「操作非準備状態」と称する）とのいずれの状態にあるかを検出する。
【００５９】
具体的には、グリップセンサ１２による保持状態の検知、装着検知センサ２２２ｄによる装着状態の検知、および全体制御部２１１における遠隔操作可能状態の検知のうち少なくとも一つの検知がなされると、全体制御部２１１は、操作準備状態を検出する。
【００６０】
よって、グリップセンサ１２や装着検知センサ２２２ｄ等が、ユーザーの手やリモートレリーズ装置２２３等、ユーザーおよび所定の付属部品のうち少なくとも一方が撮像装置１と協働可能に存在している存在／不存在状態のいずれの状態にあるかを検知する手段として機能し、全体制御部２１１が、グリップセンサ１２や装着検知センサ２２２ｄ等による存在／不存在状態の検知に基づいて、それぞれ操作準備／非準備状態を検出する。
【００６１】
なお、通常は、ユーザーが撮影および画像再生等の操作を行うためには、背面ＬＣＤ１０若しくはＥＶＦ２０に表示される画像を見ながら操作するため、ユーザーはグリップ部５を握って操作するものと考えられる。よって、通常は、グリップセンサ１２による保持状態の検知に基づいて、操作準備状態を検出するだけで、被写体の撮影および記憶画像の再生の操作準備がなされている状態を確実に検出することができる。しかし、グリップセンサ１２によって保持状態が検知されなければ操作準備状態として検出しないのでは、ユーザーがリモートレリーズ装置２２３等を用いることによって撮像装置１に触れることなく撮像装置１を操作する際には、操作準備状態として検出されることがなく、後述する画像表示の制御において不都合が生じることとなる。そこで、ここでは、装着検知センサ２２２ｄによる装着状態の検知や全体制御部２１１における遠隔操作可能状態等の検知に基づいても、全体制御部２１１が操作準備状態を検出するようにしている。
【００６２】
また、全体制御部２１１は、操作準備／非準備状態の検出結果と、接眼検知センサ２２による接眼／非接眼状態の検知結果とに基づいて、背面ＬＣＤ１０とＥＶＦ２０へのライブビューの表示動作を制御するための信号をＥＶＦ／ＬＣＤ切替部２３５に出力する機能を有する。全体制御部２１１の制御に基づく背面ＬＣＤ１０およびＥＶＦ２０への画像表示動作については、後程さらに詳述する。
【００６３】
なお、全体制御部２１１は、オートフォーカス動作を制御する機能、被写体に係る測光動作を行う機能、およびシャッターボタン９，５１，２２４の押下に応じて撮影動作を行う機能等の種々の機能を有する。
【００６４】
＜(3)画像の表示動作＞
図６は、撮像装置１における画像の表示動作を示すフローチャートである。本動作は、全体制御部２１１の制御によって実行される。また、図７は、撮像装置１における画像の表示動作を説明するための図であり、上から順に「操作準備状態の検出」、「接眼状態または非接眼状態の検知」、および「背面ＬＣＤ１０またはＥＶＦ２０への画像表示」を示すタイミングチャートとなっている。以下では、図７を参照しつつ図６のフローチャートを説明する。
【００６５】
まず、ユーザーがモード切替ダイヤル１４を操作することにより「電源ＯＦＦ」から「撮影モード」等の各種モードに設定されると、電源２８０より撮像装置１の全体に電力が供給されて、撮像装置１が起動し、画像の表示動作の制御を開始すべくステップＳ１に進む。
【００６６】
ステップＳ１では、各センサ、すなわち、グリップセンサ１２、および装着検知センサ２２２ｄの検知状態を確認するとともに、遠隔操作可能状態の設定を確認し、ステップＳ２に進む。
【００６７】
ステップＳ２では、グリップ部５が保持状態であるか否かについて判別する。ここでは、ステップＳ１においてグリップセンサ１２によってグリップ部５が保持状態と検知されていれば、ステップＳ７に進み、非保持状態と検知されていれば、ステップＳ３に進む。
【００６８】
ステップＳ３では、リモートレリーズ装置２２３の接続ケーブル２２５の端子２２５ａが端子装着部２２０に対して装着状態にあるか否かについて判別する。ここでは、ステップＳ１において装着検知センサ２２２ｄによって端子２２５ａが装着状態と検知されていれば、ステップＳ７に進み、非装着状態と検知されていれば、ステップＳ４に進む。
【００６９】
ステップＳ４では、携帯リモコン装置５０からの信号に応じた動作を実施する遠隔操作可能状態に設定されているか否かについて判別する。ここでは、ステップＳ１において遠隔操作可能状態が設定されていると確認されていれば、ステップＳ７に進み、非遠隔操作可能状態が設定されていると確認されていれば、ステップＳ５に進む。
【００７０】
ステップＳ５では、被写体の撮影や撮影画像の再生のいずれの操作も準備されていない操作非準備状態であると判定し、ステップＳ６に進む。
【００７１】
ステップＳ６では、背面ＬＣＤ１０およびＥＶＦ２０の双方をＯＦＦ状態として、ステップＳ１２に進む。
【００７２】
ステップＳ７では、被写体の撮影または撮影画像の再生の操作準備がなされている操作準備状態であると判定し、ステップＳ８に進む。
【００７３】
ステップＳ８では、接眼検知センサ２２によって接眼／非接眼状態を検知し、ステップＳ９に進む。このステップＳ８における接眼検知センサ２２による検知のタイミングは、図７に示すように、ステップＳ７において操作準備状態が判定されてから時間ｔ１秒後となる。つまり、ステップＳ７における操作準備状態の検出後、所定時間（ｔ１秒）が経過した後に、ステップＳ８における接眼検知センサ２２による検知を行う。
【００７４】
ステップＳ９では、ステップＳ８における検知結果に基づいて、接眼状態にあるか否かを判別する。ここでは、ステップＳ８において、接眼状態が検知されていれば、ステップＳ１０に進み、非接眼状態が検知されていれば、ステップＳ１１に進む。
【００７５】
ステップＳ１０では、背面ＬＣＤ１０をＯＦＦ状態とし、ＥＶＦ２０をＯＮ状態として、ＥＶＦ２０に画像を表示し、ステップＳ１２に進む。なお、ここでは、撮影モードに設定されていれば、ライブビュー画像やアフタービュー画像がＥＶＦ２０に表示され、また、再生モードに設定されていれば、メモリカード８等に格納される記憶画像がＥＶＦ２０に再生表示される。このとき、ユーザーは、ＥＶＦ２０に表示される画像を見ながら、撮影や再生操作をすることができる。
【００７６】
ステップＳ１１では、背面ＬＣＤ１０をＯＮ状態とし、ＥＶＦ２０をＯＦＦ状態として、背面ＬＣＤ１０に画像を表示し、ステップＳ１２に進む。なお、ここでは、撮影モードに設定されていれば、ライブビュー画像やアフタービュー画像が背面ＬＣＤ１０に表示され、また、再生モードに設定されていれば、メモリカード８等に格納される記憶画像が背面ＬＣＤ１０に再生表示される。このとき、ユーザーは、背面ＬＣＤ１０に表示される画像を見ながら、撮影や再生操作をすることができる。
【００７７】
このように、ステップＳ１０およびステップＳ１１では、全体制御部２１１による操作準備状態の検出に応じて、全体制御部２１１が、被写体に係る画像またはメモリカード８等に記憶される記憶画像を背面ＬＣＤ１０またはＥＶＦ２０に表示するように制御する。そして、このとき、全体制御部２１１が、全体制御部２１１自身によって操作準備状態を検出した場合に、接眼検知センサ２２による接眼状態の検知に応じてＥＶＦ２０に被写体に係る画像またはメモリカード８等に記憶される記憶画像を表示させ、接眼検知センサ２２による非接眼状態の検知に応じて背面ＬＣＤ１０に被写体に係る画像またはメモリカード８等に記憶される記憶画像を表示させるように制御する。
【００７８】
また、ステップＳ１０およびステップＳ１１における画像の表示タイミングは、図７に示すように、ステップＳ７において操作準備状態が検出されてから約時間ｔ１秒後となる。つまり、ここでは、全体制御部２１１が、全体制御部２１１自身による操作準備状態の検出から所定時間ｔ１秒の経過前までは背面ＬＣＤ１０やＥＶＦ２０に画像を表示させず、所定時間ｔ１秒の経過後において、接眼検知センサ２２による接眼状態の検知に応じてＥＶＦ２０に画像を表示させ、接眼検知センサ２２による非接眼状態の検知に応じて背面ＬＣＤ１０に画像を表示させるように制御する。
【００７９】
このように、操作準備状態の検出から所定時間ｔ１秒の経過後において、ＥＶＦ２０へのユーザーの瞳の近接の有無の検知に応じて背面ＬＣＤ１０またはＥＶＦ２０へ画像を表示する。したがって、被写体を撮影する際等において、ユーザーが撮像装置１を保持してＥＶＦ２０等を見るまでには、若干のタイムラグがあるという実状に適した自然な操作感が得られる。また、このとき、ＥＶＦ２０等における画像表示時間を短縮することができるため、省電力化を達成することもできる。
【００８０】
ステップＳ１２では、現在のモードを確認し、ステップＳ１３に進む。ここでは、モード切替ダイヤル１４によって切替設定されるモードを確認し、「電源ＯＦＦ」か又は「撮影モード」等のその他のモードに設定されているか否かを確認する。
【００８１】
ステップＳ１３では、電源がＯＦＦ状態に設定されているか否かを判別する。ここでは、ステップＳ１２において電源がＯＦＦ状態に設定されていると確認された場合は、ステップＳ１４に進み、ステップＳ１２において「撮影モード」等の「電源ＯＦＦ」以外のモードに設定されていると確認された場合は、ステップＳ１に戻る。
【００８２】
ステップＳ１４では、電源がＯＦＦとなったため、背面ＬＣＤ１０およびＥＶＦ２０の双方をＯＦＦ状態として、画像の表示動作の制御を終了する。
【００８３】
一方、ステップＳ１に戻った場合、ステップＳ１からステップＳ１３までの処理を繰り返される。そして、グリップ部５の保持／非保持状態、端子装着部２２０への端子２２５ａの装着／非装着状態、遠隔操作可能／不能状態の設定、およびＥＶＦ２０への接眼／非接眼状態の変化に伴って、背面ＬＣＤ１０およびＥＶＦ２０への画像表示を切り替えつつ、画像の表示動作の制御が行われる。
【００８４】
例えば、端子装着部２２０に対して端子２２５ａが非装着状態にあり、遠隔操作不能状態に設定されている場合、ユーザーがグリップ部５から手を離すことによって、グリップ部５が保持状態から非保持状態へ変化したときには、ユーザーが撮像装置１の操作を中止したと考えられる。よって、このときは、全体制御部２１１はグリップセンサ１２による非保持状態の検知に基づいて非準備状態を検出し、接眼検知センサ２２の検知状態に拘わらず、背面ＬＣＤ１０およびＥＶＦ２０をＯＦＦ状態として、画像表示を行わないように制御する。
【００８５】
つまり、全体制御部２１１が、全体制御部２１１自身による操作非準備状態の検出に応じて、背面ＬＣＤ１０およびＥＶＦ２０における被写体に係る画像、およびメモリカード８等に記憶される記憶画像のいずれの表示をも禁止するように制御する。すなわち、被写体の撮影や記憶画像の再生の操作準備がなされていない状態になると、背面ＬＣＤ１０やＥＶＦ２０への画像表示を禁止する。その結果、不必要な電力消費をさらに低減することができる。
【００８６】
また例えばグリップ部５が保持状態のままで非接眼状態にあることが検知された場合には、ユーザーがＥＶＦ２０の使用を中止して背面ＬＣＤ１０を使おうとしているものと判断し、背面ＬＣＤ１０をＯＮに、ＥＶＦ２０をＯＦＦにする。
【００８７】
以上のように、本実施形態に係る撮像装置１においては、全体制御部２１１の制御の下で、被写体の撮影や記憶画像の再生の操作準備がなされている操作準備状態の検出に応じて、背面ＬＣＤ１０やＥＶＦ２０に画像を表示する。よって、的確にユーザーの表示手段の使用状況を把握することができるため、画像表示が不要な時には表示手段の電源をＯＦＦ状態とすることにより省電力化を図ることができる。その結果、ユーザーの意図に沿った画像表示を行いつつ、画像表示に起因する消費電力を低減することができる。そして、特に、ユーザーによるフレーミングの実施等を阻害することなく、画像表示に起因する消費電力を低減することができる。
【００８８】
また、操作準備状態を検出した場合に、ＥＶＦ２０へのユーザーの瞳の近接が検知されるとＥＶＦ２０に画像表示を行い、ＥＶＦ２０へのユーザーの瞳の近接が検知されないときは背面ＬＣＤ１０に画像表示を行う。その結果、ユーザーの意図に沿った画像表示を行うことにより、撮像装置１の使い勝手を良くすることができる。特に、ユーザーによるフレーミングの状態に応じて、適切なライブビュー画像の表示を行うことができるため、フレーミング時の使い勝手を良くすることができる。
【００８９】
また、ユーザーやリモートレリーズ装置２２３の存在状態および不存在状態のいずれの状態にあるかを検出することによって、操作準備状態を検出する。よって、ユーザーが撮像装置１を構える動作や遠隔操作可能な状況の設定等に応じて、操作準備状態であることを迅速かつ正確に検出することができる。その結果、画像表示の有無を迅速かつ正確に切り替えることができるため、確実に省電力化を図ることができる。
【００９０】
さらに、全体制御部２１１において、遠隔操作可能な携帯リモコン装置５０からの信号に応じて動作する遠隔操作可能状態と動作しない遠隔操作不能状態とを検知することによって、それぞれ操作準備状態と操作非準備状態とを検出する。その結果、遠隔操作可能な状態の設定に応じて、画像表示の有無を迅速かつ正確に切り替えることができるため、確実に省電力化を図ることができる。
【００９１】
＜(4)変形例＞
以上、この発明の実施形態について説明したが、この発明は上記説明した内容のものに限定されるものではない。
【００９２】
◎例えば、上述した実施形態では、グリップセンサ１２による保持／非保持状態の検知、装着検知センサ２２２ｄによる装着／非装着状態の検知、および全体制御部２１１による遠隔操作可能／不能状態の検知に基づいて、全体制御部２１１が操作準備／非準備状態を検出したが、これに限られるものではなく、例えば、撮像装置１に、当該撮像装置１の姿勢を固定するための三脚を装着するための三脚ネジ穴部を設け、さらに、撮像装置１に三脚が装着された状態（三脚装着状態）および三脚が装着されていない状態（三脚不装着状態）のいずれの状態にあるかを検知するセンサ（三脚装着検知センサ）を三脚ネジ穴部内に設け、三脚装着検知センサによる三脚装着状態および三脚不装着状態の検知に基づいて、全体制御部２１１がそれぞれ操作準備／非準備状態を検出するようにしても良い。
【００９３】
このような構成とすることによって、ユーザーが三脚を使用する際は、ユーザーがグリップ部５等を保持せずに背面ＬＣＤ１０等に表示される画像を確認して操作を行う場合もあるが、このような場合にも、背面ＬＣＤ１０およびＥＶＦ２０のいずれかユーザーの所望する一方に画像を表示することができる。その結果、上述した実施形態と同様に、画像表示に起因する消費電力を低減することができる。
【００９４】
◎また、上述した実施形態では、モード切替ダイヤル１４が、撮像装置１の電源のＯＮ／ＯＦＦを切り替える電源スイッチの機能を有していたが、これに限られるものではなく、例えば、グリップセンサ１２によって、ユーザーによるグリップ部５の保持状態および非保持状態のいずれの状態にあるかを検知し、それぞれ、撮像装置１を電源ＯＮの状態および電源ＯＦＦの状態とするようにしても良い。このような構成とすることによって、不必要な時に撮像装置１の電源がＯＮの状態のままとなることを防ぐことができるため、さらなる省電力化を図ることができる。
【００９５】
◎また、上述した実施形態では、装着検知センサ２２２ｄが、端子装着部２２０への端子２２５ａの装着状態および非装着状態のいずれの状態にあるかを検知することによって、それぞれ、付属部品の一つであるリモートレリーズ装置２２３の存在状態および不存在状態を検知したが、これに限られるものではなく、例えば、端子２２５ａと接続Ｉ／Ｆ２２２とが接触した状態（接触状態）、および端子２２５ａと接続Ｉ／Ｆ２２２とが接触していない状態（非接触状態）のいずれの状態にあるかを検知することによって、それぞれ付属部品の一つであるリモートレリーズ装置２２３の存在状態および不存在状態を検知するようなものであっても良い。
【００９６】
◎また、上述した実施形態では、グリップセンサ１２や装着検知センサ２２２ｄによって、ユーザーおよび所定の付属部品のうち少なくとも一方の存在状態および不存在状態のいずれの状態にあるかを検知したが、これに限られるものではなく、例えば、体温を検知することによってユーザーの存在状態を検知したり、非接触センサ等によってユーザーや所定の付属部品の存在状態および不存在状態のいずれの状態にあるかを検知するようにしたものであっても良い。
【００９７】
◎また、上述した実施形態では、被写体に係る画像またはメモリカード８等に記憶される記憶画像を背面ＬＣＤ１０やＥＶＦ２０に表示したが、これに限られるものではなく、例えば、撮影モードにおいて、被写体に係るライブビュー画像と、メモリカード８に記憶される記憶画像とを同時に背面ＬＣＤ１０やＥＶＦ２０に表示するようにしても良い。すなわち、ライブビュー画像と記憶画像とからなる２画面を同時に背面ＬＣＤ１０やＥＶＦ２０に表示するようにしても良い。このような構成とすることによって、既に撮影した記憶画像とライブビュー画像とを比較しながらフレーミングを実施することができ、撮影の失敗を減少させることができる。さらに、ライブビュー画像と記憶画像とを同時に表示することによって、画像表示時間の短縮に寄与するため、画像表示に起因する電力消費量を低減することができるとともに、迅速な操作を可能とすることもできる。
【００９８】
◎また、上述した実施形態では、ユーザーが瞳を近接させることなく表示画像を視認・観察するための表示手段として、背面ＬＣＤ１０を例に挙げて説明したが、これに限られるものではなく、例えば、開閉式や回転式の液晶表示部等、ユーザーが瞳を近接させることなく画像を視認・観察することができる表示手段であれば良い。
【００９９】
◎また、上述した実施形態では、操作部２５０を種々操作することによって、遠隔操作可能状態に設定し、全体制御部２１１が遠隔操作可能状態を検知することによって操作準備状態を検出したが、これに限られるものではなく、例えば、携帯リモコン装置５０にグリップセンサ１２と同様なセンサを設け、そのセンサによって、ユーザーにより携帯リモコン装置５０が保持された状態（保持状態）と保持されていない状態（非保持状態）とのいずれの状態にあるかを検知し、そして、保持状態の検知に基づいて携帯リモコン装置５０から発せられる信号が信号受信部１１を介して全体制御部２１１に入力されることで、全体制御部２１１がそれぞれ操作準備状態と操作非準備状態とを検出するようにしても良い。つまり、携帯リモコン装置５０のユーザーによる保持／非保持状態に基づいて、全体制御部２１１がそれぞれ操作準備／非準備状態のいずれの状態にあるかを検出するようにしても良い。
【０１００】
また、例えば、携帯リモコン装置５０の保持状態および非保持状態を、それぞれ携帯リモコン装置５０をユーザーが操作する状態（操作状態）および操作しない状態（非操作状態）とみなして、携帯リモコン装置５０がユーザーによる操作状態および非操作状態のいずれの状態にあるかを検知することによって、全体制御部２１１がそれぞれ操作準備状態および操作非準備状態を検出するようにしても良い。このような構成とすることによっても、画像表示の有無を迅速かつ正確に切り替えることができるため、確実に省電力化を図ることができる。
【０１０１】
◎上述した具体的実施形態には以下の構成を有する発明が含まれている。
【０１０２】
（１）  請求項４に記載の撮像装置であって、前記ユーザーが前記撮像装置を保持するための保持部をさらに備え、前記存在検知手段が、前記ユーザーによる前記保持部の保持状態および非保持状態のいずれの状態にあるかを検知することによって、それぞれ前記ユーザーの存在状態および不存在状態を検知する手段を含む撮像装置。
【０１０３】
（１）の発明によれば、ユーザーによる撮像装置の保持状態を検知することによって、ユーザーの存在状態を検知することにより、ユーザーが撮像装置を保持する動作に応じて、画像表示の有無を迅速かつ正確に切り替えることができるため、確実に省電力化を図ることができる。
【０１０４】
（２）  請求項１から請求項４、および（１）のいずれかに記載の撮像装置であって、前記撮像装置から離隔した場所より前記撮像装置を操作可能な第１の遠隔操作手段からの信号に応じた動作を前記撮像装置が実施する遠隔操作可能状態、および前記信号に応じた動作を前記撮像装置が実施しない遠隔操作不能状態のいずれの状態にあるかを検知する状態検知手段をさらに備え、前記検出手段が、前記状態検知手段による前記遠隔操作可能状態および前記遠隔操作不能状態の検知に基づいて、それぞれ前記操作準備状態および前記非操作準備状態を検出する手段を含む撮像装置。
【０１０５】
（２）の発明によれば、遠隔操作可能な装置からの信号に応じた動作を実施する状態と実施しない状態とのいずれの状態にあるかを検知することによって、それぞれ被写体の撮影や記憶画像の再生の操作準備がなされている状態と操作準備がなされていない状態とを検出するため、遠隔操作可能な状態の設定に応じて、画像表示の有無を迅速かつ正確に切り替えることができるため、確実に省電力化を図ることができる。
【０１０６】
（３）  請求項４または（１）に記載の撮像装置であって、前記撮像装置から離隔した場所より前記撮像装置を操作可能な第２の遠隔操作手段からの信号を入力する端子を装着する装着部をさらに備え、前記所定の付属部品が、前記第２の遠隔操作手段を含み、前記存在検知手段が、前記装着部への前記端子の装着状態および非装着状態のいずれの状態にあるかを検知することによって、それぞれ前記所定の付属部品の存在状態および不存在状態を検知する手段を含む撮像装置。
【０１０７】
（３）の発明によれば、遠隔操作可能な装置からの信号を入力する端子が撮像装置へ装着されたことを検知することによって、所定の付属部品を検知するため、遠隔操作可能な状況設定に応じて、画像表示の有無を迅速かつ正確に切り替えることができるため、確実に省電力化を図ることができる。
【０１０８】
（４）  請求項１から請求項４、および（１）から（３）のいずれかに記載の撮像装置であって、前記検出手段が、前記撮像装置から離隔した場所より前記撮像装置を操作可能な第１の遠隔操作手段のユーザーによる操作状態および非操作状態のいずれの状態にあるかを検知することによって、それぞれ前記操作準備状態および前記非操作準備状態を検出する手段を含む撮像装置。
【０１０９】
（４）の発明によれば、遠隔操作可能な装置がユーザーによって操作される状態にあるか否かに基づいて、被写体の撮影や記憶画像の再生の操作準備がなされている状態と操作準備がなされていない状態とのいずれの状態にあるかを検出するため、画像表示の有無を迅速かつ正確に切り替えることができるため、確実に省電力化を図ることができる。
【０１１０】
（５）  請求項１から請求項４、および（１）から（４）のいずれかに記載の撮像装置であって、前記検出手段が、前記撮像装置から離隔した場所より前記撮像装置を操作可能な第１の遠隔操作手段のユーザーによる保持状態および非保持状態のいずれの状態にあるかを検知することによって、それぞれ前記操作準備状態および前記非操作準備状態を検出する手段を含む撮像装置。
【０１１１】
（５）の発明によれば、遠隔操作可能な装置がユーザーによって保持されているか否かに基づいて、被写体の撮影や記憶画像の再生の操作準備がなされている状態と操作準備がなされていない状態とのいずれの状態にあるかを検出するため、画像表示の有無を迅速かつ正確に切り替えることができるため、確実に省電力化を図ることができる。
【０１１２】
【発明の効果】
以上説明したように、請求項１の発明によれば、被写体の撮影や記憶画像の再生の準備がなされている操作状態を検出した場合に、ユーザーが接眼して表示画像の観察を行う第１の表示手段へのユーザーの瞳の近接が検知されると第１の表示手段に画像表示を行い、第１の表示手段へのユーザーの瞳の近接が検知されないときは第１の表示手段とは別に設けられた第２の表示手段に画像表示を行うため、ユーザーの意図に沿った画像表示を行いつつ、画像表示に起因する消費電力を低減することができるとともに、使い勝手を良くすることができる。特に、ユーザーによるフレーミングの状態に応じて、適切なライブビュー画像の表示を行うことができるため、フレーミング時の使い勝手を良くすることができる。
【０１１３】
また、請求項２の発明によれば、被写体の撮影や記憶画像の再生の操作準備がなされている状態の検出から所定時間の経過前までは画像表示をせず、被写体の撮影や記憶画像の再生の操作準備がなされている状態の検出から所定時間の経過後において、第１の表示手段へのユーザーの瞳の近接に応じて第１または第２の表示手段へ画像表示を行うため、撮像装置を保持等して表示手段を見るまでには、若干のタイムラグがあるという実状に適した自然な操作感が得られるとともに省電力化を達成することができる。
【０１１４】
また、請求項３の発明によれば、被写体の撮影や記憶画像の再生の操作準備がなされていない状態の検出に応じて、画像表示を禁止するため、不必要な電力消費をさらに低減することができる。
【０１１５】
また、請求項４の発明によれば、ユーザーや所定の付属部品と撮像装置とが協働可能に存在している状態および協働可能に存在していない状態のいずれの状態にあるかを検知することによって、被写体の撮影や記憶画像の再生の操作準備がなされている状態や操作準備がなされていない状態を検出するため、被写体の撮影や記憶画像の再生の操作準備がなされている状態や操作準備がなされていない状態を迅速かつ正確に検出することができるため、不必要な電力消費のさらなる低減を達成することができる。
【図面の簡単な説明】
【図１】本発明の実施形態に係る撮像装置の要部構成を示す正面図である。
【図２】撮像装置の要部構成を示す上面図である。
【図３】撮像装置の要部構成を示す背面図である。
【図４】撮像装置の要部構成を示す側面図と接眼検知センサの機能とを示す図である。
【図５】撮像装置の機能ブロック図である。
【図６】撮像装置における画像の表示動作を示すフローチャートである。
【図７】撮像装置における画像の表示動作を説明するための図である。
【符号の説明】
１  撮像装置
５  グリップ部（保持部）
１０  背面ＬＣＤ（第２の表示手段）
１２  グリップセンサ（検出手段）
２０  ＥＶＦ（第１の表示手段）
２２  接眼検知センサ（接眼検知手段）
５０  携帯リモコン装置（第１の遠隔操作手段）
２１１  全体制御部（検出手段、表示制御手段、状態検知手段）
２２０  端子装着部（装着部）
２２２ｄ  装着検知センサ（検出手段）
２２３  リモートレリーズ装置（第２の遠隔操作手段）
【図１】
2004201104.tif 000003
【図２】
2004201104.tif 000004
【図３】
2004201104.tif 000005
【図４】
2004201104.tif 000006
【図５】
2004201104.tif 000007
【図６】
2004201104.tif 000008
【図７】
2004201104.tif 000009